(57)【特許請求の範囲】
【請求項１】
浴槽内の浴水を循環して戻す循環水路と、前記循環水路に設けられ浴水を循環させる循環ポンプと、前記循環水路に設けられ浴水を浄化する濾過槽と、前記循環水路または濾過槽内に設けられ浴水の保温と殺菌を行うために加熱する加熱手段と、前記循環水路の吐出口近傍と吸込口近傍を連絡する熱水路と、前記吐出口近傍と前記熱水路の連絡位置に設けられ浴水の温度に感応して前記熱水路により閉回路を形成するための流路切り替え弁と、前記流路切り替え弁と前記熱水路が収容され前記浴槽内の浴水に漬けられる浴内ケースを備えた循環温浴器であって、前記浴内ケースの内部が前記浴槽内の浴水と連通され、前記流路切り替え弁と前記熱水路内の浴水と前記浴内ケース内の浴水とが熱交換することを特徴とする循環温浴器。
【請求項２】
内部に活性炭を装填した粗濾過フィルターが前記閉回路を構成する前記循環水路の吸込口近傍に設けられるとともに、前記粗濾過フィルターが前記浴内ケース内に収容されていることを特徴とする請求項１記載の循環温浴器。
【請求項３】
前記流路切り替え弁が形状記憶合金からなる付勢手段を備え、前記加熱手段によって浴水が加熱されたときには、前記流路切り替え弁がこの加熱された浴水によって前記熱水路側に切り替わり、循環される浴水の温度が低下したときには、前記流路切り替え弁がこの温度低下によって吐出口側に切り替わることを特徴とする請求項１または２に記載された循環温浴器。
【請求項４】
通常循環運転を行うときには、浴水を保温するために前記加熱手段によって浴水を第１の温度に加熱し、熱水殺菌運転を行うときには、前記加熱手段によって浴水を第２の温度に加熱する制御手段を備えたことを特徴とする請求項１〜３のいずれかに記載の循環温浴器。
【請求項５】
通常は前記制御手段が前記通常循環運転を行い、所定の時間が到来すると前記制御手段が前記熱水殺菌運転を行うことを特徴とする請求項４記載の循環温浴器。
【請求項６】
前記循環水路から排水路を分岐させ、熱水殺菌後に加熱させた浴水を前記排水路から前記浴槽外に排出することを特徴とする請求項１〜５のいずれかに記載の循環温浴器。
【発明の詳細な説明】
【０００１】
【発明の属する技術分野】
本発明は、風呂の浴水を浄化し同時に保温しながら循環させる循環温浴器に関するものである。
【０００２】
【従来の技術】
近年、生活の快適さ便利さを追求して循環温浴器が普及してきた。この循環温浴器は浴水を循環させ濾過装置で浴水を濾過して浄化し、ヒーターを設けて浴水を加熱して多くは２４時間いつでも入浴できるものである。
【０００３】
そこで従来の循環温浴器について説明する。図６は従来の循環温浴器の概略構成図である。１は浴槽、２は循環水路、３は浴水を循環する循環ポンプ、４は紫外線ランプである。５は濾過槽で、内部に浴水を過熱するヒーター６、アルミ電極７が設けられ、濾材８が充填されている。濾材８は多孔質のセラミックボールや砂、麦飯石あるいは糸巻きフィルター等である。９は循環ポンプ３の作用によって浴槽１内の浴水を吸引する吸入口、１０は浴水を循環水路２から浴槽１内へ戻す吐出口である。１６は湯温検知部、１７は循環温浴器の本体である。
【０００４】
以上のように構成された従来の循環温浴器の通常循環運転についてその動作を説明する。循環ポンプ３が運転開始されると、浴槽１内の浴水が吸入口９より吸引され循環水路２を介しての循環が開始される。循環ポンプ３から吐き出された浴水は紫外線ランプ４に送られ、紫外線ランプ４の周囲を流れてこの際浴水中に繁殖している細菌が殺菌される。紫外線ランプ４を出た浴水は濾過槽５内のヒーター６に送られ、適当な温度に加熱される。また、アルミ電極７に凝集電流を加えることにより、浴水中に水酸化アルミニウムが溶出して、紫外線ランプ４で殺菌された雑菌を含めて浴水中の濁度成分となる有機物等が捕集できる程度の大きさにまで凝集し、濾材８により濾過されるものである。濾過槽５で清浄化された浴水は次に循環水路２の排出口１０から浴槽１内に還流される。従来の循環温浴器はこのように浴水の循環を２４時間行なっており、常時浴水中の濁度成分を取り除いて清浄化し、あわせて紫外線ランプ４により浴水の殺菌を図って、いつでも快適に入浴することができるようにしている。
【０００５】
そしてこのほか従来の循環温浴器には、濾過槽５のほかにさらに予備的に粗濾過を行なって浴水中に混入した毛髪や垢等の比較的大きなゴミを除去するため、ヘアキャッチャーを設けたものがある。
【０００６】
【発明が解決しようとする課題】
しかしながら従来の循環温浴器は、循環水路の途中に設けた濾過装置で雑菌や有機物等を凝集して捕集しているため濾材が目詰まりを起し易いという問題があった。また、紫外線ランプ等の殺菌装置によって殺菌を行うという方法を採用するのは、簡便に殺菌できるという長所はあるものの、紫外線ランプより上流の循環水路では殺菌ができず、細菌の繁殖が依然として残るという大きな問題を有していた。とくに粗濾過部を設けるものでは、紫外線ランプ等の上流に粗濾過部を設けるほか適当な設置場所がなく、この粗濾過部内は多くの雑菌が棲息し循環温浴器の殺菌が徹底して行えないという問題があった。
【０００７】
ところで、循環温浴器内に繁殖する細菌を抑え、循環温浴器を効率的に殺菌できる有力な方法として熱水殺菌法がある。しかし、この方法は浴水をきわめて高温にする必要があり、これが冷えるまでは浴槽を使用したり、浴槽内へ熱水を混入してはならない等、取扱いに注意を要するものであった。しかも、熱水殺菌をしている間は、温度の高い循環中の浴水をエアとともに浴槽内に噴出させる気泡浴等はできないので、入浴者が希望する入浴を常時楽しむことはできないものであった。気泡浴等を利用できるのは、循環水がある一定の温度にまで下がってからであり、循環水が冷めるまでは利用に関してロス時間となり、熱水殺菌を行うにしても利便性の点で問題を有すものであった。
【０００８】
本発明は上記従来の問題点を解決するもので、循環温浴器の循環系を効率よく殺菌して細菌等の繁殖を抑えることができ、浴槽に戻される浴水が急に温度上昇したりすることがなく、熱水殺菌運転と通常循環運転が簡単，確実に切り替えられ、気泡浴等を利用できない等のロス時間を短くすることができる循環温浴器を提供することを目的とする。
【０００９】
【課題を解決するための手段】
上記課題を解決するために本発明の循環温浴器は、吐出口近傍と熱水路の連絡位置に設けられ浴水の温度に感応して前記熱水路により殺菌用閉回路を形成するための流路切り替え弁と、前記流路切り替え弁と前記熱水路が収容され浴槽内の浴水に漬けられる浴内ケースを備えた循環温浴器であって、前記浴内ケースの内部が前記浴槽内の浴水と連通され、前記流路切り替え弁と前記熱水路内の浴水と前記浴内ケース内の浴水とが熱交換することを特徴とする。
【００１０】
これにより、循環温浴器の循環系を効率よく殺菌して細菌等の繁殖を抑えることができ、浴槽に戻される浴水が急に温度上昇したりすることがなく、熱水殺菌運転と通常循環運転が簡単，確実に切り替えられ、気泡浴等を利用できない等のロス時間を短くすることができる。
【００１１】
【発明の実施の形態】
本発明の請求項１に記載の発明は、浴槽内の浴水を循環して戻す循環水路と、前記循環水路に設けられ浴水を循環させる循環ポンプと、前記循環水路に設けられ浴水を浄化する濾過槽と、前記循環水路または濾過槽内に設けられ浴水の保温と殺菌を行うために加熱する加熱手段と、前記循環水路の吐出口近傍と吸込口近傍を連絡する熱水路と、前記吐出口近傍と前記熱水路の連絡位置に設けられ浴水の温度に感応して前記熱水路により閉回路を形成するための流路切り替え弁と、前記流路切り替え弁と前記熱水路が収容され前記浴槽内の浴水に漬けられる浴内ケースを備えた循環温浴器であって、前記浴内ケースの内部が前記浴槽内の浴水と連通され、前記流路切り替え弁と前記熱水路内の浴水と前記浴内ケース内の浴水とが熱交換することを特徴とする循環温浴器であるから、加熱手段が循環する浴水を加熱するだけで流路切り替え弁が切り替わって温度の高い浴水が循環する閉回路が形成されて循環系の殺菌ができ、流路切り替え弁と熱水路が浴内ケースに設けられているためここからの放熱で浴水の温度が下がり、これによって短時間のうちに流路切り替え弁が切り替わり、循環される浴水は再び吐出口側から浴槽内に吐出される。また閉回路での熱水殺菌であるため浴槽の浴水全体を昇温して殺菌する必要はなく、殺菌後に冷却する熱水の容量も少ないから、冷却速度が速くなり、利用時間のロスも少なくなる。
【００１２】
本発明の請求項２に記載された発明は、内部に活性炭を装填した粗濾過フィルターが前記閉回路を構成する前記循環水路の吸込口近傍に設けられるとともに、前記粗濾過フィルターが前記浴内ケース内に収容されていることを特徴とする請求項１記載の循環温浴器であるから、粗濾過フィルター内では循環する浴水の流速がおちるとともに、活性炭が装填されているため流れが乱されて乱流状態となり、外部との熱交換がすすみ、冷却速度が大きくなる。
【００１３】
本発明の請求項３に記載された発明は、前記流路切り替え弁が形状記憶合金からなる付勢手段を備え、前記加熱手段によって浴水が加熱されたときには、前記流路切り替え弁がこの加熱された浴水によって前記熱水路側に切り替わり、循環される浴水の温度が低下したときには、前記流路切り替え弁がこの温度低下によって吐出口側に切り替わることを特徴とする請求項１または２に記載された循環温浴器であるから、加熱された浴水によって形状記憶合金からなる付勢手段が付勢加重を変え、流路切り替え弁が自動的に熱水側に切り替わるし、熱水殺菌後の放熱によって流路切り替え弁はいち早く吐出口側に切り替わる。
【００１４】
本発明の請求項４に記載された発明は、通常循環運転を行うときには、浴水を保温するために前記加熱手段によって浴水を第１の温度に加熱し、熱水殺菌運転を行うときには、前記加熱手段によって浴水を第２の温度に加熱する制御手段を備えた請求項１〜３のいずれかに記載の循環温浴器であるから、制御手段によって加熱手段を制御するだけで自動的に運転モードを変更できる。
【００１５】
本発明の請求項５に記載された発明は、通常は前記制御手段が前記通常循環運転を行い、所定の時間が到来すると前記制御手段が前記熱水殺菌運転を行うことを特徴とする請求項４記載の循環温浴器であるから、制御手段が所定の時間がくると熱水殺菌運転を行うので循環系に細菌類が繁殖することがない。
【００１６】
本発明の請求項６に記載された発明は、前記循環水路から排水路を分岐させ、熱水殺菌後に加熱させた浴水を前記排水路から前記浴槽外に排出することを特徴とする請求項１〜５のいずれかに記載の循環温浴器であるから、循環水路内を熱水殺菌した後に逆洗を行なって高温になっている浴水を排出路から浴槽外へ排出でき、冷却時間をきわめて短縮できる。
【００１７】
以下、本発明の実施の形態について図面を用いて説明する。
（実施の形態１）
本発明の実施の形態１について図１〜図５を参照しながら説明する。図１は本発明の実施の形態１における循環温浴器のシステム概略構成図、図２は本発明の実施の形態１における循環温浴器の通常循環運転時の浴水の流れ図、図３は本発明の実施の形態１における循環温浴器の熱水殺菌運転時の浴水の流れ図、図４は本発明の実施の形態１における循環温浴器の逆洗運転時の浴水の流れ図、図５（ａ）は本発明の実施の形態１の循環温浴器の流路切り替え弁の通常運転時の概略図、図５（ｂ）は本発明の実施の形態１の循環温浴器の流路切り替え弁の熱水殺菌時の概略図である。
【００１８】
図１〜図４において、１は浴槽、２は循環水路、３は循環ポンプ、４は殺菌手段である紫外線ランプ、５は濾過槽、６は加熱手段であるヒーター、７はアルミ電極、８は濾材、９は吸込口、１０は吐出口である。１１は第１流路切り替え弁、１２は第２流路切り替え弁、１３は第３流路切り替え弁、１４は逆止弁である。また、１５は粗濾過フィルター、１６は湯温検知部、１７は循環温浴器の本体、１８は浴内ケース、１９は熱水路、２０は連絡路、２１は排出路、２２は制御手段である。
【００１９】
循環水路２の吸込端の吸込口９近傍には、逆止弁１４と粗濾過フィルター１５が順に設けられている。粗濾過フィルター１５内には粗濾過を行う目の粗い濾材が装着されているとともに内部に活性炭が装填されている。この逆止弁１４と粗濾過フィルター１５は、後で詳述する第３流路切り替え弁１３と熱水路１９とともに浴内ケース１８内に収容され、浴槽１の浴水内に浸漬されている。浴内ケース１８内は連通路を介して外部の浴水と連通している。循環ポンプ３は粗濾過フィルター１５の出口側に設けられており、浴槽１内の浴水を吸込口９から吸い込んで循環水路２を循環させるものである。通常循環運転時には、循環ポンプ３から吐出された浴水は紫外線ランプ４に導かれ殺菌される。紫外線ランプ４は殺菌装置であればどのようなものもよく、例えばオゾン殺菌器等を代わりに使用することができる。
【００２０】
紫外線ランプ４の出口側の循環水路２には第１流路切り替え弁１１が設けられており、循環水路２から分岐される排出路２１がこの第１流路切り替え弁１１によって切り替え可能になっている。第１流路切り替え弁１１は三方向のうち二方向を接続する三方切り替え弁である。この第１流路切り替え弁１１より後流側に濾過槽５が設けられている。従って通常循環運転時には、紫外線ランプ４を通過した浴水は第１流路切り替え弁１１を経て濾過槽５へ流れ込む。しかし逆洗運転時には排出路２１側に切り替えられ、同時に流れ方向も逆方向に切り替えられ、逆に濾過槽５側から送られてきた浴水を浴槽１外に排出する。
【００２１】
濾過槽５内には、循環する浴水を加熱昇温するためのヒーター６、濾過槽５内の浴水の湯温を検知する湯温検知部１６、電解凝集するためのアルミ電極７、そして浴水を濾過する濾材８が設けられている。なお、ヒーター６は浴水を保温したり、高温にまで昇温できればよいから、濾過槽５内でなく循環水路２に設けるのでもよい。濾過槽５はＳＵＳから構成されており、この濾過槽５自体を陰極、アルミ電極７を陽極として各々マイナスとプラスの電圧が印加される。濾材８はセラミックボール等の濾材が望ましいが、これに限られるものではない。ヒーター６とこれらの電極は図示しない電源に接続され、マイクロコンピューター等から構成される制御手段２２によって制御される。ヒーター６は湯温検知部１６により通常循環運転時には保温のため３５℃〜４５℃程度（本発明の第１の温度）に循環中の浴水がなるように制御され、熱水殺菌運転時には６０℃〜８０℃程度（本発明の第２の温度）にまで循環する浴水の温度を上げるように制御される。この６０℃〜８０℃程度というのは、循環温浴器において繁殖する雑菌はほとんど死滅する温度である。粗濾過フィルター１５で髪毛等の大きなゴミと悪臭等を取り除かれた浴水は、紫外線ランプ４で殺菌された後濾過槽５に導かれる。制御手段２２は陽極であるアルミ電極７と、陰極である濾過槽５間に通電し、アルミ電極７から濾過槽５内の浴水中に水酸化アルミニウムが溶出させられる。この水酸化アルミニウムの凝集作用によって、浴水中の懸濁成分は凝集して大きなフロックとなって濾材８で分離される。
【００２２】
濾過槽５で濾過された浴水は、循環水路２を通って第２流路切り替え弁１２に導かれる。この第２流路切り替え弁１２は、この濾過槽５の出口側の循環水路２を連絡路２０側に切り替えて小さな閉回路を構成したり、そのまま循環水路２を流すことができる三方切り替え弁である。この第２流路切り替え弁１２を連絡路２０側に切り替えることにより小さな閉回路を形成した状態にして、ヒーター６を加熱して、熱水殺菌用の高温の浴水をつくるものである。
【００２３】
第２流路切り替え弁１２より吐出側にある吐出口１０近傍の循環水路２には、第３流路切り替え弁１３が設けられている。この第３流路切り替え弁１３は、循環水路２の吐出口１０近傍を熱水路１９に連絡して吸込口９近傍の循環水路２との間に閉回路を構成するか、そのまま吐出口１０側へ流す流路として浴槽１内に吐出させるものである。この第３流路切り替え弁１３が、実施の形態１において本発明の流路切り替え弁に相当するものである。浴内ケース１８にはこの第３流路切り替え弁１３，熱水路１９，逆止弁１４，粗濾過フィルター１５が収容されており、内部と外部が連通部を介して連通されていて、浴槽１内の浴水が充満されている。このため熱水殺菌運転時には第３流路切り替え弁１３，熱水路１９，逆止弁１４，粗濾過フィルター１５内を循環する高温の浴水が外部の浴水との間で熱交換し、殺菌後に急速に冷却されるものである。通常６０℃〜８０℃程度の熱水であれば、殺菌には数秒から数分しかかからないから、殺菌は冷却するまでの間に十分すすむものである。しかも実施の形態１では、粗濾過フィルター１５内において循環する浴水の流速がおち、内部の活性炭のため流れが乱されて乱流状態となるから、とくに放熱効果が大きい。殺菌後、急速に温度が下がって吐出口１０から吐出できるので、入浴者は短時間のうちに気泡浴等を利用でき、利用時間のロスが生じない。
【００２４】
次に、図５（ａ）（ｂ）に基づいて、浴水の温度に感応して切り替わる第３流路切り替え弁１３について詳細に説明する。図５（ａ）（ｂ）に示すように、１３ａは弁棒、１３ｂは弁棒１３ａに取付けられ循環水路２のシールを行なう弁体、１３ｃは温度によりバネ加重が変化する形状記憶合金製の形状記憶スプリング、１３ｄは通常のスプリング、１３ｅは流路切り替え弁ケースである。形状記憶スプリング１３ｃ，スプリング１３ｄは第３流路切り替え弁１３の付勢手段を構成するものである。
【００２５】
図５（ａ）に示すように、通常循環運転時、すなわち循環する浴水の温度が入浴可能な温度以下の場合で通常は４５℃以下（３５℃〜４５℃）の運転においては、形状記憶スプリング１３ｃのバネ加重は低く（スプリング加重＞形状記憶スプリング加重）、弁棒１３ａはスプリング１１ｄに押され、流路切り替え弁ケース１３ｅと弁体１３ｂにより熱水路１９側が閉となり、吐出口１０側が開であるから吐出口１０から浴水が吐出される。また、熱水殺菌運転時、すなわち循環する浴水温度が入浴できない温度の場合で通常４５℃以上（６０℃〜８０℃）の運転においては、循環される浴水の温度が高く形状記憶スプリング１３ｃのバネ加重が高くなり、スプリング１３ｄの加重より大きくなるため、弁棒１３ａは形状記憶スプリング１３ｃにより押され、流路切り替え弁ケース１３ｅと弁体１３ｂにより吐出口１０側が閉となり、熱水路１９から浴槽１内へ殺菌用の高温の浴水が排出されることはない。このように本実施の形態１においては、付勢手段として形状記憶スプリング１３ｃを用いているから、温度を設定するだけで簡単，確実，自動的に流路が切り替わり、ヒーター６を温度制御するだけで通常循環運転と、熱水殺菌運転の２つの運転モードを実現することができる。なお、実施の形態１においては第３流路切り替え弁１３の付勢手段に形状記憶合金を用いているが、浴水の温度を検知する温度センサを設け、この検出信号により制御手段が三方切り替え弁を切り替えるという方法によって第３流路切り替え弁を構成するのでもよい。
【００２６】
次に、本実施の形態１における循環温浴器の通常循環運転時の浴水の流れについて、図２を用いて説明する。通常循環運転は一般的な物理濾過運転モードである。循環ポンプ３に通電すると、循環ポンプ３の揚水作用で、浴水は吸込口９から吸引され循環水路２内の循環を開始する。まず、逆止弁１４を通り、粗濾過フィルター１５に導かれた浴水は髪毛や糸くず等の大きなゴミを捕捉され、活性炭にて悪臭等を除かれる。続いて循環ポンプ３から吐出された浴水は紫外線ランプ４へ導かれる。ここで浴水は紫外線の照射を受け、紫外線ランプ４の周囲を通過する時間内に流動する浴水中の細菌等が殺菌される。
【００２７】
紫外線照射を受けて死滅した雑菌や有機物等の汚濁物質は濾過槽５に流入するが、電気分解によってアルミ電極７から溶出した水酸化アルミニウムの凝集作用を受け、大きなかたまりとなって濾材８により濾過される。濾過された後、浴水は第２流路切り替え弁１２，第３流路切り替え弁１３を介して吐出口１０より浴槽１へ戻される。
【００２８】
続いて本実施の形態１における循環温浴器の熱水殺菌運転時の浴水の流れについて、図３を用いて説明する。実施の形態１の循環温浴器においては紫外線ランプ４により殺菌が行なわれるが、それより上流側の粗濾過フィルター１５や循環ポンプ３，逆止弁１４では紫外線ランプ４での紫外線の照射の作用が及ばず、細菌類が繁殖する。そこで循環系全体の殺菌を行なうため、循環水路２を含んだ殺菌用の閉回路を形成し、熱水殺菌を行なうものである。
【００２９】
所定の時間が到来すると、制御手段２２は循環水路２の濾過槽５の出口側に設置された第２流路切り替え弁１２を切り替え、浴水の流れ方向を連通路２０側に切り替える。これにより循環水路２と連通路２０は小さな閉回路を構成する。この状態で制御手段２２はヒーター６に通電し、濾過槽５内の浴水温度を上昇させる。このとき上昇させる温度は時間との関係もあるが、大体６０℃以上から殺菌効果が出てくるため６０℃〜８０℃程度が採用される。なお、本実施の形態１の循環温浴器においてはこれを７５℃に設定している。次いで制御手段２２は第２流路切り替え弁１２を切り替えて連通路２０を切り離し、循環ポンプ３により第３流路切り替え弁１３にまで高温の浴水を導く。この高温の浴水が到達すると第３流路切り替え弁１３は湯温に感応し、自動的に切り替わり、浴水の流れ方向は熱水路１９側に切り替わる。これにより循環水路２と熱水路１９は大きな殺菌用の閉回路を構成するようになる。循環ポンプ３の作用で高温の浴水が閉回路を循環されるが、殺菌用の閉回路は循環系のほとんどの流路を含むため循環系の内部のほとんどが熱水殺菌される。殺菌終了後、制御手段２２がヒーター６の加熱を停止すると、浴内ケース１８内の要素からの放熱がすすみ、温度が４５℃以下になると第３流路切り替え弁１３が切り替わって再び吐出口１０から浴槽１内へ戻される。これにより高温の浴水が直接入浴者にあたることはない。
【００３０】
次に、本実施の形態１の循環温浴器の逆洗運転時の動作について、図４を用いて説明する。逆洗運転は、通常循環運転によって濾過槽５が捕捉した懸濁物質を通常循環運転のときの循環方向と逆方向に流して、水流（水圧）によって濾過槽５内から排出路２１を介して排出し、洗浄するモードである。逆洗運転時には、一日に一回といった所定のタイミングで、制御手段２２が第２流路切り替え弁１２を切り替えて連通路２０と濾過槽５の通常運転の出口側とを接続するとともに、第１流路切り替え弁１１も切り替え、濾過槽５の通常運転時の入口側と排出路２１を接続する。これによって、循環ポンプ３から吐出された浴水は濾過槽５内に逆方向から導入され、濾過槽５内を逆洗，洗浄した後、排出路２１から排出することができる。循環時に濾過した有機物等の懸濁物質は外部に排出され、濾材８は再生される。なお、逆洗運転を熱水殺菌運転と組み合わせて、熱水運転に引き続いて逆洗運転を行うこともできる。このとき温度が高くなった浴水によって逆洗できるので殺菌にも寄与し、迅速に熱水を排出することができ、通常循環運転に直ちに戻ることができる。
【００３１】
このように本実施の形態１の循環温浴器によれば、ヒーター６が循環する浴水を加熱するだけで第３流路切り替え弁１３が切り替わって高温の浴水が循環する殺菌用閉回路が形成されて循環系の殺菌ができる。しかも第３流路切り替え弁１３と熱水路１９が浴内ケース１８に設けられているため、ここからの放熱で浴水の温度が下がり、これによって短時間に循環される浴水は再び吐出口１０から浴槽１内に吐出される。閉回路を形成して熱水殺菌するため浴水内の浴水全体を昇温して殺菌する必要はなくなり、当然殺菌後に冷却する高温の浴水の容量も少ないから、冷却速度が速くなり、入浴者が利用できないロス時間も少なくなる。さらに粗濾過フィルター１５内では循環する浴水の流速がおち、併せて活性炭が装填されているから、これによって流れが乱されて乱流状態となり、外部の浴水との熱交換がすすみ、冷却速度が大きくなる。加熱された浴水によって形状記憶スプリング１３ｃが付勢加重を変えるから、第３流路切り替え弁１３が自動的に熱水側に切り替わるし、熱水殺菌後の放熱によって第３流路切り替え弁１３はいち早く吐出口１０側に切り替えられる。そして制御手段２２によってヒーター６を制御するだけで自動的に運転モードを変更できる。制御手段２２が所定の時間がくると熱水殺菌運転を行うので循環系に細菌類が繁殖することがない。循環水路２内を熱水殺菌した後に逆洗を行なって高温になっている浴水を排出路から浴槽外へ排出でき、冷却時間をきわめて短縮できる。
【００３２】
【発明の効果】
以上説明したように本発明によれば、循環温浴器の循環系を効率よく殺菌するから細菌等の繁殖を抑えることができる。また、熱水殺菌後に浴水が直ちに浴槽に戻されないので、浴槽に噴出される浴水が入浴中に急に温度上昇したりすることがなく安全であるし、熱水殺菌運転と通常循環運転が簡単，確実に切り替えられ、利用者が浴槽を利用できないロス時間をきわめて短くすることができる。
【図面の簡単な説明】
【図１】本発明の実施の形態１における循環温浴器のシステム概略構成図
【図２】本発明の実施の形態１における循環温浴器の通常循環運転時の浴水の流れ図
【図３】本発明の実施の形態１における循環温浴器の熱水殺菌運転時の浴水の流れ図
【図４】本発明の実施の形態１における循環温浴器の逆洗運転時の浴水の流れ図
【図５】（ａ）本発明の実施の形態１の循環温浴器の流路切り替え弁の通常運転時の概略図
（ｂ）本発明の実施の形態１の循環温浴器の流路切り替え弁の熱水殺菌時の概略図
【図６】従来の循環温浴器の概略構成図
【符号の説明】
１  浴槽
２  循環水路
３  循環ポンプ
４  紫外線ランプ
５  濾過槽
６  ヒーター
７  アルミ電極
８  濾材
９  吸入口
１０  吐出口
１１  第１流路切り替え弁
１２  第２流路切り替え弁
１３  第３流路切り替え弁
１３ａ  弁棒
１３ｂ  弁体
１３ｃ  形状記憶スプリング
１３ｄ  スプリング
１３ｅ  流路切り替え弁ケース
１４  逆止弁
１５  粗濾過フィルター
１６  湯温検知部
１７  本体
１８  浴内ケース
１９  熱水路
２０  連通路
２１  排出路
２２  制御手段
【図１】
0003887931.tif 000002
【図２】
0003887931.tif 000003
【図３】
0003887931.tif 000004
【図４】
0003887931.tif 000005
【図５】
0003887931.tif 000006
【図６】
0003887931.tif 000007